(57)【要約】【課題】発熱体に対する冷却効率の低下の抑制、並びに、製造工数及び製造コストの増加の抑制が実現でき、かつ、装置の小型化が可能な発熱体の冷却構造を提供する。【解決手段】第１の冷却ファン２ａから発熱体７０までの通風経路６ａ及び第２の冷却ファン２ｂから発熱体７０までの通風経路６ｂに共通する箇所に、第１の冷却ファンから送り出される冷却風と第２の冷却ファンから送り出される冷却風とを仕切る板状部材４を有し、板状部材は、第１の冷却ファン及び第２の冷却ファンの一方又は双方が回転している場合に、回転している冷却ファンから送り出された冷却風を整流して発熱体に導く。【選択図】図１
2010170181.tif 000002
【特許請求の範囲】
【請求項１】
発熱体が配置された筐体内部で複数の冷却ファンを用いて当該発熱体を冷却する発熱体の冷却構造において、
第１の冷却ファンから前記発熱体までの通風経路及び第２の冷却ファンから前記発熱体までの通風経路に共通する箇所に、当該第１の冷却ファンから送り出される冷却風と当該第２の冷却ファンから送り出される冷却風とを仕切る板状部材を有し、
前記板状部材は、前記第１の冷却ファン及び前記第２の冷却ファンの一方又は双方が回転している場合に、回転している冷却ファンから送り出された冷却風を整流して前記発熱体に導く
ことを特徴とする発熱体の冷却構造。
【請求項２】
請求項１に記載の発熱体の冷却構造において、
前記板状部材は、前記第１の冷却ファン及び前記第２の冷却ファンのいずれか一方の回転速度が正常時の回転速度から低下した場合に、当該一方の冷却ファンから前記発熱体までの通風経路を閉鎖して、他方の冷却ファンから前記発熱体までの通風経路を開放する、弁として機能する
ことを特徴とする発熱体の冷却構造。
【請求項３】
請求項２に記載の発熱体の冷却構造において、
前記板状部材は、前記他方の冷却ファンから送り出された冷却風の風圧によって、前記一方の冷却ファンから前記発熱体までの通風経路を閉鎖する
ことを特徴とする発熱体の冷却構造。
【請求項４】
請求項２に記載の発熱体の冷却構造において、
さらに、前記第１の冷却ファンの回転状態及び前記第２の冷却ファンの回転状態を監視する回転状態監視機構と、
前記板状部材を作動する板状部材作動機構とを有し、
前記板状部材作動機構は、前記回転状態監視機構によって前記第１の冷却ファン及び前記第２の冷却ファンの一方の回転速度が予め定められた閾値以下になったことが検出された場合に、前記板状部材を作動して前記一方の冷却ファンから前記発熱体までの通風経路を閉鎖する
ことを特徴とする発熱体の冷却構造。
【請求項５】
請求項１に記載の発熱体の冷却構造において、
前記筐体は、前記発熱体の周囲に通風口を備えており、
前記通風口は、前記第１の冷却ファン及び前記第２の冷却ファンの一方又は双方から送り出された冷却風を前記発熱体に誘導する
ことを特徴とする発熱体の冷却構造。
【請求項６】
筐体内部に配置された発熱体を冷却するための複数の冷却ファンを有するコンピュータにおいて、
第１の冷却ファンから前記発熱体までの通風経路及び第２の冷却ファンから前記発熱体までの通風経路に共通する箇所に、当該第１の冷却ファンから送り出される冷却風と当該第２の冷却ファンから送り出される冷却風とを仕切る板状部材を有し、
前記板状部材は、前記第１の冷却ファン及び前記第２の冷却ファンの一方又は双方が回転している場合に、回転している冷却ファンから送り出された冷却風を整流して前記発熱体に導く
ことを特徴とするコンピュータ。
【請求項７】
請求項６に記載のコンピュータにおいて、
前記板状部材は、前記第１の冷却ファン及び前記第２の冷却ファンのいずれか一方の回転速度が正常時の回転速度から低下した場合に、当該一方の冷却ファンから前記発熱体までの通風経路を閉鎖して、他方の冷却ファンから前記発熱体までの通風経路を開放する、弁として機能する
ことを特徴とするコンピュータ。
【請求項８】
請求項７に記載のコンピュータにおいて、
前記板状部材は、前記他方の冷却ファンから送り出された冷却風の風圧によって、前記一方の冷却ファンから前記発熱体までの通風経路を閉鎖する
ことを特徴とするコンピュータ。
【請求項９】
請求項７に記載のコンピュータにおいて、
さらに、前記第１の冷却ファンの回転状態及び前記第２の冷却ファンの回転状態を監視する回転状態監視機構と、
前記板状部材を作動する板状部材作動機構とを有し、
前記板状部材作動機構は、前記回転状態監視機構によって前記第１の冷却ファン及び前記第２の冷却ファンの一方の回転速度が予め定められた閾値以下になったことが検出された場合に、前記板状部材を作動して前記一方の冷却ファンから前記発熱体までの通風経路を閉鎖する
ことを特徴とするコンピュータ。
【請求項１０】
請求項６に記載のコンピュータにおいて、
前記筐体は、前記発熱体の周囲に通風口を備えており、
前記通風口は、前記第１の冷却ファン及び前記第２の冷却ファンの一方又は双方から送り出された冷却風を前記発熱体に誘導する
ことを特徴とするコンピュータ。
【発明の詳細な説明】
【技術分野】
【０００１】
本発明は、発熱体が配置された筐体内部で複数の冷却ファンを用いて発熱体を冷却する発熱体の冷却構造、及び、その構造を適用したコンピュータに関する。
【背景技術】
【０００２】
発熱体が配置された筐体内部で、複数の冷却ファンを用いて発熱体を冷却する冷却構造がある。この冷却構造は、様々な電気製品（例えば、サーバやパーソナルコンピュータ等のコンピュータや、ゲーム装置、ディスプレイ、その他）に適用されている。
例えば、コンピュータは、筐体内部に、ＣＰＵや電源ユニット等の発熱体が配置されている。その中でも、特に、ＣＰＵは、近年の高性能化に伴って、発熱量が増加しているため、高温になり易い。そのため、コンピュータの多くは、複数の冷却ファンを用いて冷却風を発生させ、その冷却風を、ＣＰＵを含む発熱体に放出することによって、発熱体を冷却する構造となっている。なお、他の電気製品でも同様である。
このような冷却構造を適用したコンピュータの中でも、例えば、プラント制御等で用いられているサーバは、高性能でかつ高信頼性であること（すなわち、ＣＰＵの演算性能が高く、かつ、連続して安定稼動ができること）が求められている。そのため、このようなサーバとして、複数の冷却ファンのうちの１つが停止しても、障害とならずに、安定して稼動する装置がある（例えば、特許文献１参照）。
また、このような冷却構造を適用したコンピュータの中でも、ファン動作時にファンの風圧によって一方向にのみ開きかつファン停止時に送風孔を塞ぐシャッタが冷却ファンに設けられており、このシャッタによって冷却風が冷却ファン用吸気口から逆流（流出）するのを防止して、発熱体を効率よく冷却する装置がある（例えば、特許文献２参照）。
【先行技術文献】
【特許文献】
【０００３】
【特許文献１】特開２００４−２９５７０２号公報（図１、図３）
【特許文献２】特開平１１−２２６９８号公報（図５、図６）
【発明の概要】
【発明が解決しようとする課題】
【０００４】
従来の冷却構造は、複数の冷却ファンのうちの１つに異常が発生し、これによって、異常が発生した冷却ファンが停止（又は、回転速度が低下）した場合に、例えば、以下の２つの課題が発生していた。
【０００５】
（１）従来の冷却構造は、特許文献１に開示された技術を適用した場合に、正常稼動している冷却ファンの冷却風の一部が停止した冷却ファンの吸気口から逆流（流出）するため、発熱体を効率よく冷却できないという課題があった。
すなわち、従来の冷却構造は、特許文献１に開示された技術を適用することにより、複数の冷却ファンのうちの１つが停止しても安定稼動できる構成となる。しかしながら、この冷却構造は、正常稼動している冷却ファンの冷却風の一部が停止した冷却ファンの吸気口から逆流するため、これによって、冷却風の流れが乱れるとともに、風圧が低下する。したがって、この冷却構造は、流れが乱れかつ風圧が低下した冷却風を発熱体に放出することになるため、発熱体を効率よく冷却できなかった。
【０００６】
（２）従来の冷却構造は、特許文献２に開示された技術を適用した場合に、製造工数及び製造コストが増加するという課題、及び、装置の小型化が阻害されるという課題があった。
すなわち、従来の冷却構造は、特許文献２に開示された技術を適用することにより、冷却風が停止した冷却ファンの吸気口から逆流するのを防止できる。そのため、この冷却構造は、流れが乱れておらずかつ風圧が低下していない冷却風を発熱体に放出することになるため、発熱体を効率よく冷却できる。しかしながら、この冷却構造は、個々の冷却ファンにつき１つのシャッタが必要になるため、部品点数が増加する。これによって、製造工数及び製造コストが増加する。また、個々の冷却ファンにシャッタを取り付けるためのスペースが必要になる。そのため、そのスペースが障害となって、装置の小型化が阻害される。
【０００７】
本発明は、前記した２つの課題を解決するためになされたものであり、発熱体を効率よく冷却できる発熱体の冷却構造を提供することを主な目的とする。
【課題を解決するための手段】
【０００８】
前記目的を達成するため、本発明は、発熱体が配置された筐体内部で複数の冷却ファンを用いて当該発熱体を冷却する発熱体の冷却構造であって、第１の冷却ファンから前記発熱体までの通風経路及び第２の冷却ファンから前記発熱体までの通風経路に共通する箇所に、当該第１の冷却ファンから送り出される冷却風と当該第２の冷却ファンから送り出される冷却風とを仕切る板状部材を有し、前記板状部材は、前記第１の冷却ファン及び前記第２の冷却ファンの一方又は双方が回転している場合に、回転している冷却ファンから送り出された冷却風を整流して前記発熱体に導くことを特徴とする。
その他の手段は、後記する。
【発明の効果】
【０００９】
本発明により、発熱体を効率よく冷却でき、製造工数及び製造コストの増加を抑制できる発熱体の冷却構造を提供できる。
【図面の簡単な説明】
【００１０】
【図１】実施形態１に係る冷却構造を示す図（１）である。
【図２】実施形態１に係る冷却構造を示す図（２）である。
【図３】実施形態１に係る冷却構造のコンピュータへの適用例を示す図（１）である。
【図４】実施形態１に係る冷却構造のコンピュータへの適用例を示す図（２）である。
【図５】実施形態２に係る冷却構造の構成を示すブロック図である。
【発明を実施するための形態】
【００１１】
以下、図面を参照して、本発明の実施の形態（以下、「本実施形態」と称する）につき詳細に説明する。なお、各図は、各構成要素の形状、大きさ、及び、配置関係を、本発明を理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１２】
［実施形態１］
＜冷却構造＞
以下、図１及び図２を参照して、本実施形態１に係る冷却構造につき説明する。なお、図１及び図２は、それぞれ、実施形態１に係る冷却構造を示す図である。図１及び図２は、それぞれ、上方向から見た、実施形態１に係る冷却構造を有する冷却ファンユニット１の内部構造を示している。なお、図中、白抜きの矢印は、冷却風の流れを示している。
【００１３】
以下、まず、図１を参照して、冷却ファンユニット１の構成につき説明し、次に、図２を参照して、冷却ファンユニット１に設けられた板状部材４の動作につき説明する。
【００１４】
図１に示すように、冷却ファンユニット１は、複数の冷却ファン（ここでは、第１及び第２の２つの冷却ファン２ａ，２ｂ）、及び、板状部材４を有している。
【００１５】
第１の冷却ファン２ａ及び第２の冷却ファン２ｂは、冷却風を発生して、発熱体７０に対して放出する機構である。以下、第１の冷却ファン２ａ及び第２の冷却ファン２ｂを総称する場合に、「冷却ファン２」と称する。なお、図１に示す例では、第１の冷却ファン２ａ及び第２の冷却ファン２ｂは、１箇所に隣接して設けられているが、例えば、図３（ａ）に示すように、２箇所に分散して設けられている場合もある。
【００１６】
図示例では、冷却ファン２ａ，２ｂは、背面に、冷却ファン用吸気口（以下、単に「吸気口」と称する）３が設けられている。また、冷却ファン２ａ，２ｂは、正面に、通風口５が設けられており、この通風口５を介して、発熱体７０と対向している。なお、通風口５は、その中央部分が２つの冷却ファン２ａ，２ｂの略中央に対向するように、設けられている。
【００１７】
板状部材４は、冷却ファン２から送り出された冷却風を整流して発熱体７０に導くための部材である。板状部材４は、第１の冷却ファン２ａから発熱体７０までの第１の通風経路６ａ及び第２の冷却ファン２ｂから発熱体７０までの第２の通風経路６ｂの共通する箇所に、設けられている。以下、第１の通風経路６ａ及び第２の通風経路６ｂを総称する場合に、「通風経路６」と称する。
【００１８】
板状部材４は、冷却ファン２側から発熱体７０側に向けて、通風経路６の略中央を、通風経路６に沿って、延在して設けられている。したがって、板状部材４は、第１の冷却ファン２ａから送り出される冷却風と第２の冷却ファン２ｂから送り出される冷却風とを仕切る構成となっている。
【００１９】
板状部材４は、第１の通風経路６ａと第２の通風経路６ｂとの仕切りとして機能する。そのため、第１の冷却ファン２ａ及び第２の冷却ファン２ｂのいずれか一方が停止した場合でも、板状部材４が、正常に稼動している冷却ファン２からの冷却風を整流して発熱体７０に集中的に導く。
【００２０】
なお、本実施形態１では、板状部材４は、回動の支点となる冷却ファン２側の端部（以下、「支点４ａ」と称する）で、冷却ファンユニット１によって、片持ち状に支持されている。板状部材４は、支点４ａを中心にして、第１の係止部７ａから第２の係止部７ｂの範囲内で自在に回動する。なお、第１の係止部７ａ及び第２の係止部７ｂは、板状部材４の回動を規制するために、冷却ユニット１に設けられた機構である。以下、第１の係止部７ａ及び第２の係止部７ｂを総称する場合に、「係止部７」と称する。
【００２１】
板状部材４の動きを、図２（ａ）〜図２（ｃ）に示す。図２（ａ）は、第１の冷却ファン２ａ及び第２の冷却ファン２ｂがともに正常に動作している場合の板状部材４の動きを示している。図２（ｂ）は、第１の冷却ファン２ａだけが正常に稼動している場合の板状部材４の動きを示している。図２（ｃ）は、第２の冷却ファン２ｂだけが正常に稼動している場合の板状部材４の動きを示している。
【００２２】
板状部材４は、図２（ａ）〜図２（ｃ）に示すように、第１の冷却ファン２ａからの冷却風及び第２の冷却ファン２ｂからの冷却風の風圧のバランスに応じて、回動する。
【００２３】
具体的には、第１の冷却ファン２ａ及び第２の冷却ファン２ｂがともに正常に稼動している場合に、板状部材４は、図２（ａ）に示すように、第１の冷却ファン２ａからの冷却風及び第１の冷却ファン２ｂからの冷却風の風圧が均等になる方向で静止する。その結果、板状部材４は、２つの冷却ファン２からの冷却風を整流して発熱体７０に集中的に導く。これにより、板状部材４は、発熱体７０を効率よく冷却する。
【００２４】
一方、第１の冷却ファン２ａだけが正常に稼動している場合（すなわち、第２の冷却ファン２ｂに異常が発生して、第２の冷却ファン２ｂが停止又は回転速度が低下した場合）に、板状部材４は、図２（ｂ）に示すように、第１の冷却ファン２ａからの冷却風の風圧によって、第２の通風経路６ｂ側に回動して、第２の係止部７ｂによって支持された状態となる。その結果、第２の通風経路６ｂは、完全に封鎖（遮断）され、かつ、第１の通風経路６ａのみが、開放された状態となる。したがって、第１の冷却ファン２ａからの冷却風は、第２の冷却ファン２ｂの吸気口３から逆流することがない。
【００２５】
他方、第２の冷却ファン２ｂだけが正常に稼動している場合（すなわち、第１の冷却ファン２ａに異常が発生して、第１の冷却ファン２ａが停止又は回転速度が低下した場合）に、板状部材４は、図２（ｃ）に示すように、第２の冷却ファン２ｂからの冷却風の風圧によって、第１の通風経路６ａ側に回動して、第１の係止部７ａによって支持された状態となる。その結果、第１の通風経路６ａは、完全に封鎖（遮断）され、かつ、第２の通風経路６ｂのみが、開放された状態となる。したがって、第２の冷却ファン２ｂからの冷却風は、第１の冷却ファン２ａの吸気口３から逆流することがない。
【００２６】
したがって、板状部材４は、回動することによって、異常が発生した冷却ファン２側の通風経路６を完全に閉鎖（遮断）する弁として機能する。
【００２７】
なお、板状部材４は、好ましくは、軽量で薄く成形できる素材（例えば、プラスチック等）によって構成されているとよい。また、板状部材４は、ゴム等の弾性部材で構成されていてもよいが、冷却風の風圧によってバタつきが発生しない程度の弾性を有していることが好ましい。
【００２８】
＜冷却構造のコンピュータへの適用例＞
以下、図３及び図４を参照して、本実施形態１に係る冷却構造のコンピュータへの適用例につき説明する。なお、ここでは、コンピュータが、サーバ装置１００として構成されているものとして説明する。また、ここでは、制御ユニット８、電源ユニット９、及び、ハードディスクユニット１０が発熱体７０であるものとして説明する。以下、発熱体７０を、適宜「発熱体８，９，１０」と称する。なお、制御ユニット８は、プロセッサ１６及びＬＳＩ１７が搭載されたＣＰＵボード１５を１乃至複数枚格納している構成要素である。
【００２９】
図３及び図４は、それぞれ、実施形態１に係る冷却構造のコンピュータへの適用例を示す図である。図３（ａ）は、上方向から見た、実施形態１に係る冷却構造を搭載したコンピュータ（ここでは、サーバ装置１００）の内部構造を示している。図３（ｂ）は、左方向（図３（ａ）に示す矢印ｂｂ方向）から見たサーバ装置１００の外観を示している。図３（ｃ）は、右方向（図３（ａ）に示す矢印ｃｃ方向）から見たサーバ装置１００の外観を示している。図３（ｄ）は、正面方向（図３（ａ）に示す矢印ｄｄ方向）から見たサーバ装置１００の外観を示している。図３（ｅ）は、背面方向（図３（ａ）に示す矢印ｅｅ方向）から見たサーバ装置１００の外観を示している。なお、図３（ｅ）は、天地を逆にして示している。図４（ａ）は、斜め方向から見たサーバ装置１００の内部構造を示している。図４（ｂ）は、図４（ａ）に示すサーバ装置１００の内部構造から冷却ファン２の周囲の構成要素を除いた状態を示している。
【００３０】
図３及び図４に示すように、冷却ファンユニット１は、サーバ装置１００の筐体１００ａ内部に、搭載されている。なお、筐体１００ａは、冷却ファン２の周囲（図示例では、冷却ファン２の背後に位置する部分）に、吸気口３が設けられている。また、筐体１００ａは、発熱体９，１０の周囲（図示例では、電源ユニット９の背後に位置する部分及びハードディスクユニット１０の背後に位置する部分）に、電源ユニット周囲の排気口１２及びハードディスクユニット周囲の排気口１４（以下、それぞれ、「排気口１２」及び「排気口１４」と称する）が設けられている。なお、図示例では、排気口１２は、サーバ装置１００の左方向（図３（ａ）に示す矢印ｂｂ方向）の側面の、電源ユニット９の下側の位置に設けられた排気口１２ａと、サーバ装置１００の背面方向（図３（ａ）に示す矢印ｅｅ方向）の側面の、電源ユニット９の側方の位置に設けられた排気口１２ｂとから構成されている。
【００３１】
冷却ファンユニット１は、各冷却ファン２が回転することで、冷却風が発生する。このとき、冷却風は、各冷却ファン２から通風口５までの筐体１００ａ内部の空間内で圧縮され、その圧縮された冷却風の一部（以下、単に「冷却風」と称する）が、通風口５を通過して、通風口５の外部の空間へ流れる。図３及び図４に示す例では、通風口５の外部の空間には、制御ユニット８、電源ユニット９、及び、ハードディスクユニット１０が設けられている。冷却風は、これら制御ユニット８、電源ユニット９、及び、ハードディスクユニット１０の周囲を流れることにより、これらを冷却する。
【００３２】
サーバ装置１００は、内部に配置された発熱体８，９，１０を冷却するために、陽圧による冷却構造が採用されている。すなわち、サーバ装置１００は、冷却ファンユニット１の通風口５から送り出された冷却風により、内部を陽圧状態とし、さらに、発熱体９，１０の周囲に設けられた排気口１２，１４から冷却風を放出する構造が採用されている。これによって、サーバ装置１００は、冷却風を発熱体９，１０に誘導するとともに、発熱体９，１０の周囲の風量を増加させて、発熱体９，１０に対する冷却効率を向上させている。また、サーバ装置１００は、発熱体８を発熱体９の通風系路上に配置することによって、冷却風を発熱体８に誘導するとともに、発熱体８の周囲の風量を増加させて、発熱体８に対する冷却効率を向上させている。これにより、サーバ装置１００は、ＣＰＵや電源ユニット専用の局部冷却ファンを用いることなく、内部全体の冷却を可能にしている。
【００３３】
具体的には、まず、通風口５を通過した冷却風は、制御ユニット８を通過して、その一部が排気口１２ａからサーバ装置１００の外部へ排出される。これにより、冷却風は、制御ユニット８の内部の発熱体（ここでは、ＣＰＵボード１５に搭載されたプロセッサ１６やＬＳＩ１７等）を冷却する。
【００３４】
次に、制御ユニット８を通過した冷却風の一部は、電源ユニット９の吸気口１１を通過して、その一部が排気口１２ｂからサーバ装置１００の外部へ排出される。これにより、冷却風は、電源ユニット９の内部の発熱体を冷却する。
【００３５】
さらに、制御ユニット８を通過した冷却風の一部は、ハードディスクユニット１０の吸気口１３を通過して、その一部が排気口１４からサーバ装置１００の外部へ排出される。これにより、冷却風は、ハードディスクユニット１０の内部の発熱体を冷却する。
【００３６】
なお、サーバ装置１００は、各吸気口１１，１３、及び、各排気口１２ａ，１２ｂ，１４の面積を適正に設定することにより、内部の冷却風を分圧できる。これにより、サーバ装置１００は、各発熱体８，９，１０を効率よく冷却できる。
【００３７】
例えば、サーバ装置１００は、電源ユニット９周囲の排気口１２ａの面積を適正に設定することにより、冷却風の風速を制御ユニット８の内部の発熱体（ここでは、ＣＰＵボード１５に搭載されたプロセッサ１６やＬＳＩ１７等）の冷却に最適な風速に設定することができる。これにより、サーバ装置１００は、制御ユニット８の内部の発熱体（プロセッサ１６やＬＳＩ１７等）を動作保証温度以内に冷却できる。したがって、サーバ装置１００は、プロセッサ１６やＬＳＰ１７専用の局部冷却ファンを実装しなくても、プロセッサ１６やＬＳＰ１７を十分に冷却できる。
【００３８】
また、サーバ装置１００は、電源ユニット用吸気口１１の面積及び電源ユニット９周囲の排気口１２ｂの面積を適正に設定することにより、冷却風の風速を電源ユニット９の冷却に最適な風速に設定することができる。これにより、サーバ装置１００は、電源ユニット９を動作保証温度以内に冷却できる。
【００３９】
さらに、サーバ装置１００は、ハードディスクユニット用吸気口１３の面積及びハードディスク１０周囲の排気口１４の面積を適正に設定することにより、冷却風の風速をハードディスクユニット１０の冷却に最適な風速に設定することができる。これにより、サーバ装置１００は、ハードディスクユニット１０を動作保証温度以内に冷却できる。
【００４０】
以上、説明した通り、冷却ファンユニット１によれば、板状部材４が、第１の通風経路６ａと第２の通風経路６ｂとの仕切りとして機能する。そのため、第１の冷却ファン２ａ及び第２の冷却ファン２ｂのいずれか一方が停止した場合でも、板状部材４が、正常に稼動している冷却ファン２からの冷却風を整流して発熱体７０に集中的に導く。
これにより、冷却ファンユニット１は、冷却風の流れが乱れるのを防止できるとともに、正常稼動している冷却ファン２の冷却風の一部が停止（又は、回転速度が低下）した冷却ファン２の吸気口３から逆流するのを防止して、風圧が低下するのを防止できる。
したがって、冷却ファンユニット１によれば、発熱体７０を効率よく冷却できる。
【００４１】
また、冷却ファンユニット１によれば、板状部材４が、回動することによって、弁として機能する。そのため、板状部材４が、停止（又は、回転速度が低下）した冷却ファン２側の通風経路６を完全に封鎖（遮断）する。
これにより、冷却ファンユニット１は、正常稼動している冷却ファン２の冷却風の一部が停止（又は、回転速度が低下）した冷却ファン２の吸気口３から逆流するのをより効果的に一層防止できるとともに、冷却ファン２から通風口５までの筐体１００ａ内部の圧力が維持されるため、風圧が低下するのをより効果的に防止できる。
したがって、冷却ファンユニット１によれば、さらに一層、発熱体７０を効率よく冷却できる。
【００４２】
また、冷却ファンユニット１によれば、板状部材４を、通風経路６ａ，６ｂの共通する一箇所に設ければよいので、特許文献２と異なり、個々の冷却ファンにつき部品が増加するようなことがない。そのため、冷却ファンユニット１は、特許文献２に開示された技術よりも、点数の増加を抑制できる。
したがって、冷却ファンユニット１によれば、製造工数及び製造コストの増加を抑制でき、かつ、装置の小型化が可能となる。
【００４３】
なお、この冷却ファンユニット１を搭載したサーバ装置１００は、ＣＰＵの発熱量が増加していても、十分に冷却できるので、連続して安定稼動ができる。
また、この冷却ファンユニット１を搭載したサーバ装置１００は、陽圧による冷却構造を採用している。これによっても、サーバ装置１００は、冷却風を発熱体８，９，１０に誘導するとともに、発熱体８，９，１０の周囲の風量を増加させて、発熱体９，１０に対する冷却効率を向上させている。そのため、サーバ装置１００は、ＣＰＵや電源ユニット専用の局部冷却ファンを用いることなく、内部全体を十分に冷却できる。
【００４４】
なお、特許文献２に開示された技術は、冷却ファンユニット１と異なり、仕切りとして機能する板状部材４によって冷却風を整流して発熱体７０に導くものではない。
なお、特許文献２に開示された技術は、冷却ファンユニット１と異なり、弁として機能する板状部材４によって発熱体７０への通風経路６を切り替えるものではない。
【００４５】
［実施形態２］
実施形態１に係る冷却構造を有する冷却ユニット１は、図２に示すように、板状部材４が冷却ファン２からの冷却風の風圧によって停止（又は、回転速度が低下）した冷却ファン２の通風経路６を受動的に閉鎖（遮断）する構成となっている（図２参照）。
これに対して、本実施形態２に係る冷却構造を有する冷却ユニット１ａは、図５に示すように、板状部材４が電気的な制御によって停止（又は、回転速度が低下）した冷却ファン２の通風経路６を能動的に閉鎖（遮断）する構成となっている（図５参照）。
【００４６】
以下、図５を参照して、本実施形態２に係る冷却構造につき説明する。なお、図５は、実施形態２に係る冷却構造の構成を示すブロック図である。
【００４７】
本実施形態２に係る冷却構造を有する冷却ユニット１ａは、第１の冷却ファン２ａ及び第２の冷却ファン２ｂとして、それぞれ、回転センサ付きのものを用いている。
また、冷却ユニット１ａは、第１の冷却ファン２ａ、第２の冷却ファン２ｂ、板状部材４に加え、ファン回転状態監視回路１９、アラームＬＥＤ２０、板状部材制御回路２１、及び、アクチュエータ２２を有している。
【００４８】
ファン回転状態監視回路１９は、第１の冷却ファン２ａの回転状態及び第２の冷却ファン２ｂの回転状態を監視する制御部である。
アラームＬＥＤ２０は、サーバ装置１００のオペレータにアラームを通知するための表示器である。
板状部材制御回路２１は、アクチュエータ２２の動作を制御する制御部である。
アクチュエータ２２は、板状部材４を作動する（回動させる）機構である。アクチュエータ２２は、ステッピングモータやロータリーエンコーダなどを用いることによって、板状部材４の動作を制御し、板状部材４を弁として機能させる。
【００４９】
なお、図５では、電源ユニット９と、制御ユニット８、ファン回転状態監視回路１９、及び、板状部材制御回路２１とを結ぶ線が示されている、この線は、電源ユニット９がこれらの構成要素に給電していることを示している。また、同様に、ファン回転状態監視回路１９と制御ユニット８とを結ぶ線が示されているが、この線は、ファン回転状態監視回路１９が制御ユニット８の中に組み込まれていることを示している。また、同様に、板状部材制御回路２１と板状部材４とを結ぶ線が示されているが、この線は、板状部材制御回路２１が板状部材４を作動する（回動させる）ことを示している。
【００５０】
本実施形態２では、第１の冷却ファン２ａは、回転センサで自身の回転速度を検出し、検出した回転速度を回転パルス信号２ａａとして、ファン回転状態監視回路１９に出力する。同様に、第２の冷却ファン２ｂも、回転センサで自身の回転速度を検出し、検出した回転速度を回転パルス信号２ｂａとして、ファン回転状態監視回路１９に出力する。
【００５１】
ファン回転状態監視回路１９は、第１の冷却ファン２ａ及び第２の冷却ファン２ｂから回転パルス信号２ａａ及び回転パルス信号２ｂａが入力されると、第１の冷却ファン２ａの回転速度及び第２の冷却ファン２ｂの回転速度と予め定められた閾値とを比較する。
【００５２】
この比較で、第１の冷却ファン２ａの回転速度が予め定められた閾値以下になったことが検出された場合に、ファン回転状態監視回路１９は、これに応答して、まず、アラームＬＥＤ２０を点灯させ、続いて、冷却ファン２が停止（厳密には、回転速度が低下）したことを通知する信号（以下、「ファン停止信号」と称する）２ａｂを、板状部材制御回路２１に出力する。
一方、この比較で、第２の冷却ファン２ｂの回転速度が予め定められた閾値以下になったことが検出された場合に、ファン回転状態監視回路１９は、これに応答して、まず、アラームＬＥＤ２０を点灯させ、続いて、ファン停止信号２ｂｂを、板状部材制御回路２１に出力する。
【００５３】
板状部材制御回路２１は、ファン回転状態監視回路１９からファン停止信号２ａｂが入力されると、これに応答して、板状部材４の動作を制御して第１の通風経路６ａ及び第２の通風経路６ｂのいずれか一方を閉鎖させるための信号（以下、「通風経路遮断信号」と称する）６ａａを生成してアクチュエータ２２に出力し、アクチュエータ２２を駆動させる。なお、通風経路遮断信号６ａａは、第１の通風経路６ａを閉鎖させるための信号である。アクチュエータ２２は、板状部材制御回路２１から通風経路遮断信号６ａａが入力されると、通風経路遮断信号６ａａに従って、板状部材４を係止部７ａ側に作動する（回動させる）。これにより、板状部材４は、第１の通風経路６ａが閉鎖され、第２の通風経路６ｂのみが開放された状態にする。
【００５４】
一方、板状部材制御回路２１は、ファン回転状態監視回路１９からファン停止信号２ｂｂが入力されると、これに応答して、通風経路遮断信号６ｂａを生成してアクチュエータ２２に出力し、アクチュエータ２２を駆動させる。なお、通風経路遮断信号６ｂａは、第１の通風経路６ａを閉鎖させるための信号である。アクチュエータ２２は、板状部材制御回路２１から通風経路遮断信号６ｂａが入力されると、通風経路遮断信号６ｂａに従って、板状部材４を係止部７ｂ側に作動する（回動させる）。これにより、板状部材４は、第２の通風経路６ｂが閉鎖され、第１の通風経路６ａのみが開放された状態にする。
【００５５】
冷却ファンユニット１ａによれば、実施形態１の冷却ファンユニット１と同様に、発熱体７０を効率よく冷却できる。
さらに、この冷却ユニット１ａによれば、冷却ファン２の回転状態に応じて、停止（厳密には、回転速度が低下）した冷却ファン２側の通風経路６を閉鎖（遮断）することによって、正常稼動している冷却ファン２の冷却風の一部が停止（又は、回転速度が低下）した冷却ファン２の吸気口３から逆流するのを、能動的に、防止できる。
【００５６】
本発明は、前記した実施形態に限定されることなく、本発明の要旨を逸脱しない範囲で種々の変更や変形を行うことができる。
例えば、実施形態２では、冷却ファン２は、正確な回転速度を検出するのではなく、回転しているか否かの大まかな状態を検出するようにしてもよい。
また、本発明は、サーバ等のコンピュータに限らず、様々な電気製品（例えば、ゲーム装置や、ディスプレイ、その他）に利用することができる。
【符号の説明】
【００５７】
１    冷却ファンユニット（冷却構造）
２（２ａ、２ｂ）    冷却ファン
３    冷却ファン用吸気口
４    板状部材（弁）
４ａ    板状部材（弁）の支点
５    通風口
６    通風経路
７    係止部
８    制御ユニット（発熱体）
９    電源ユニット（発熱体）
１０    ハードディスクユニット（発熱体）
１１（１１ａ，１１ｂ）    電源ユニット用吸気口
１２（１２ａ，１２ｂ）    電源ユニット周囲の排気口
１３（１３ａ，１３ｂ）    ハードディスクユニット用吸気口
１４    ハードディスクユニット周囲の排気口
１５    ＣＰＵボード（発熱体）
１６    プロセッサ（発熱体）
１７    ＬＳＩ（発熱体）
１９    ファン回転状態監視回路
２０    アラームＬＥＤ
２１    板状部材制御回路
２２    アクチュエータ
７０    発熱体
１００    サーバ装置
１００ａ    筐体
【図１】
2010170181.tif 000003
【図２】
2010170181.tif 000004
【図３】
2010170181.tif 000005
【図４】
2010170181.tif 000006
【図５】
2010170181.tif 000007